(57)【要約】【課題】補強部材の終端に補強部材の厚さと同様の高さの段差が生じている場合と比して、無端ベルトの補強部材が損傷するのを抑制することができる無端ベルト、転写装置、及び画像形成装置を得る。【解決手段】補強部材は、ベルト本体の幅方向の少なくとも一端で、かつ、ベルト本体の外周面に、周方向に１周以上巻かれて取り付けられている。そして、補強部材の周方向の終端側の部分が他の部分に重ねられ、終端側の部分の厚さが終端に向かって減少していると共に、終端側の部分が他の部分に溶着されている。【選択図】図１
2018146726.tif 000002
【特許請求の範囲】
【請求項１】
無端状のベルト本体と、
前記ベルト本体の幅方向の少なくとも一端で、かつ、前記ベルト本体の外周面に、周方向に１周以上巻かれて取り付けられ、周方向の終端側の部分が他の部分に重ねられ、前記終端側の部分の厚さが終端に向かって減少していると共に、前記終端側の部分が前記他の部分に溶着されている補強部材と、
を備える無端ベルト。
【請求項２】
前記補強部材の周方向の始端と前記終端とは、周方向で対向している請求項１に記載の無端ベルト。
【請求項３】
前記補強部材の終端側の部分は、前記終端を含んで前記他の部分に溶着されている請求項１又は２に記載の無端ベルト。
【請求項４】
請求項１〜３の何れか１項に記載の無端ベルトと、
画像形成部で形成された画像を前記無端ベルトに転写する転写部材と、
を備えている転写装置。
【請求項５】
請求項４に記載の転写装置と、
前記無端ベルトに転写された画像を記録媒体に転写する他の転写部材と、
を備えている画像形成装置。
【発明の詳細な説明】
【技術分野】
【０００１】
本発明は、無端ベルト、転写装置、及び画像形成装置に関する。
【背景技術】
【０００２】
特許文献１に記載の無端ベルトでは、無端ベルトの側端部の外周面にベルト補強テープが周方向にわたって貼られている。そして、補強テープの終端は、補強テープの始端に重ね合わされており、この重ね合わせ部では、補強テープの端部を互いに融着して接合している。
【先行技術文献】
【特許文献】
【０００３】
【特許文献１】特開平１１-２１９０４６号公報
【発明の概要】
【発明が解決しようとする課題】
【０００４】
無端ベルトのベルト本体に周方向に巻き付けられた補強部材（補強テープ）の終端を、補強部材の他の部分に重ねた状態では、補強部材の終端に補強部材の厚さと同様の高さの段差が生じてしまう。この段差が生じている状態で、無端ベルトを周回させると、この段差が生じている部分に曲げ応力が集中して、無端ベルトの補強部材が損傷してしまうことがある。
【０００５】
本発明の課題は、補強部材の終端に補強部材の厚さと同様の高さの段差が生じている場合と比して、無端ベルトの補強部材が損傷するのを抑制することである。
【課題を解決するための手段】
【０００６】
本発明の請求項１に係る無端ベルトは、無端状のベルト本体と、前記ベルト本体の幅方向の少なくとも一端で、かつ、前記ベルト本体の外周面に、周方向に１周以上巻かれて取り付けられ、周方向の終端側の部分が他の部分に重ねられ、前記終端側の部分の厚さが終端に向かって減少していると共に、前記終端側の部分が前記他の部分に溶着されている補強部材と、を備えることを特徴とする。
【０００７】
本発明の請求項２に係る無端ベルトは、請求項１に記載の無端ベルトにおいて、前記補強部材の周方向の始端と前記終端とは、周方向で対向していることを特徴とする。
【０００８】
本発明の請求項３に係る無端ベルトは、請求項１又は２に記載の無端ベルトにおいて、前記補強部材の終端側の部分は、前記終端を含んで前記他の部分に溶着されていることを特徴とする。
【０００９】
本発明の請求項４に係る転写装置は、請求項１〜３の何れか１項に記載の無端ベルトと、画像形成部で形成された画像を前記無端ベルトに転写する転写部材と、を備えていることを特徴とする。
【００１０】
本発明の請求項５に係る画像形成装置は、請求項４に記載の転写装置と、前記無端ベルトに転写された画像を記録媒体に転写する他の転写部材と、を備えていることを特徴とする。
【発明の効果】
【００１１】
本発明の請求項１の無端ベルトによれば、補強部材の終端に補強部材の厚さと同様の高さの段差が生じている場合と比して、無端ベルトの補強部材が損傷するのを抑制することができる。
【００１２】
本発明の請求項２の無端ベルトによれば、補強部材の周方向の終端側の部分が、始端側の部分に、重ねられている場合と比して、ベルト本体に巻かれている状態の補強部材の高さが、部分的に高くなるのが抑制される。
【００１３】
本発明の請求項３の無端ベルトによれば、補強部材の終端が溶着されていない場合と比して、無端ベルトの補強部材が損傷するのを抑制することができる。
【００１４】
本発明の請求項４の転写装置によれば、請求項１〜３の何れか１項に記載の無端ベルトを備えていない場合と比して、無端ベルトに転写される転写画像の品質の低下を抑制することができる。
【００１５】
本発明の請求項５の画像形成装置によれば、請求項４に記載の転写装置を備えていない場合と比して、出力画像の品質の低下を抑制することができる。
【図面の簡単な説明】
【００１６】
【図１】（Ａ）（Ｂ）本発明の第１実施形態に係る無端ベルトにおいて、補強テープの終端部分を示した断面図である。
【図２】本発明の第１実施形態に係る無端ベルト等を示した斜視図である。
【図３】本発明の第１、第２、第３実施形態に係る無端ベルト、及び比較形態に係る無端ベルトの評価結果を表で示した図面である。
【図４】（Ａ）（Ｂ）本発明の第１実施形態に係る無端ベルト、及び比較形態に係る無端ベルトの解析結果をドットの疎密で示した図面である。
【図５】本発明の第１実施形態に係る無端ベルト、及び比較形態に係る無端ベルトの解析結果をグラフで示した図面である。
【図６】本発明の第１実施形態に対する転写装置、及び画像形成装置を示した構成図である。
【図７】本発明の第１実施形態に対する比較形態に係る無端ベルトを示した断面図である。
【図８】（Ａ）（Ｂ）本発明の第２実施形態に係る無端ベルトにおいて、補強テープの終端部分を示した断面図である
【図９】（Ａ）（Ｂ）本発明の第３実施形態に係る無端ベルトにおいて、補強テープの終端部分を示した断面図である
【発明を実施するための形態】
【００１７】
＜第１実施形態＞
本発明の第１実施形態に係る無端ベルト、転写装置、及び画像形成装置の一例を図１〜図７に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００１８】
（全体構成）
図６に示されるように、本第１実施形態に係る画像形成装置１０には、記録媒体としてのシート部材Ｐが収容される収容部１４と、収容部１４に収容されたシート部材Ｐを搬送する搬送部１６とが備えられている。さらに、画像形成装置１０には、収容部１４から搬送部１６によって搬送されるシート部材Ｐに画像形成を行う画像形成部２０と、各部を制御する制御部１２とが備えられている。
【００１９】
〔収容部〕
収容部１４には、画像形成装置１０の装置本体１０Ａから装置奥行方向の手前側に引き出し可能な収容部材２６が備えられており、収容部材２６にシート部材Ｐが積載されている。さらに、収容部材２６には、収容部材２６に積載されたシート部材Ｐを、搬送部１６を構成する搬送経路２８に送り出す送出ロール３０が備えられている。
【００２０】
〔搬送部〕
搬送部１６には、シート部材Ｐが搬送される搬送経路２８に沿って、シート部材Ｐを搬送する複数の搬送ロール（符号省略）が備えられている。
【００２１】
〔画像形成部〕
画像形成部２０には、イエロー（Ｙ）、マゼンタ（Ｍ）、シアン（Ｃ）、ブラック（Ｋ）の４つの画像形成ユニット１８Ｙ、１８Ｍ、１８Ｃ、１８Ｋが備えられている。なお、以後の説明では、Ｙ、Ｍ、Ｃ、Ｋを区別して説明する必要が無い場合は、Ｙ、Ｍ、Ｃ、Ｋを省略して記載することがある。
【００２２】
各色の画像形成ユニット１８は、装置本体１０Ａに対して夫々着脱可能とされている。そして、各色の画像形成ユニット１８には、図中矢印Ｂ方向に回転する感光体ドラム３６と、感光体ドラム３６の表面を帯電する帯電部材３８とが備えられている。さらに、画像形成ユニット１８には、帯電した感光体ドラム３６に露光光を照射する露光装置４２と、露光光を照射することで形成された静電潜像を現像してトナー画像として可視化する現像装置４０とが備えられている。さらに、画像形成部２０には、図中矢印Ａ方向に周回する無端状の無端ベルト２２と、各色の画像形成ユニット１８によって形成されたトナー画像を無端ベルト２２に転写する一次転写ロール４４とが備えられている。また、画像形成部２０には、無端ベルト２２に転写されたトナー画像をシート部材Ｐに転写する二次転写ロール４６が備えられている。一次転写ロール４４は、転写部材の一例で、二次転写ロール４６は、他の転写部材の一例である。
【００２３】
このように、無端ベルト２２と、一次転写ロール４４とを含んで、転写装置４８が構成されている。
【００２４】
さらに、画像形成部２０には、トナー画像が転写されたシート部材Ｐを加熱・加圧して、トナー画像をシート部材Ｐに定着する定着装置５０が備えられている。
【００２５】
（画像形成装置の作用）
画像形成装置１０では、次のようにして画像が形成される。
【００２６】
先ず、電圧が印加された各色の帯電部材３８は、各色の感光体ドラム３６の表面を予定の電位で一様にマイナス帯電する。続いて、外部から入力された画像データに基づいて露光装置４２は、帯電した各色の感光体ドラム３６の表面に露光光を照射して静電潜像を形成する。
【００２７】
これにより、データに対応した静電潜像が各色の感光体ドラム３６の表面に形成される。さらに、各色の現像装置４０は、この静電潜像を現像し、トナー画像として可視化する。また、各色の感光体ドラム３６の表面に形成されたトナー画像は、一次転写ロール４４によって無端ベルト２２に順番に転写される。このようにして、無端ベルト２２は、外周面にトナー画像を保持する。
【００２８】
そこで、収容部材２６から送出ロール３０によって搬送経路２８へ送り出されたシート部材Ｐは、無端ベルト２２と二次転写ロール４６とが接触する転写位置Ｔへ送り出される。転写位置Ｔでは、シート部材Ｐが無端ベルト２２と二次転写ロール４６との間で搬送されることで、無端ベルト２２の外周面のトナー画像が、シート部材Ｐに転写される。
【００２９】
また、シート部材Ｐの表面に転写されたトナー画像が、定着装置５０によってシート部材Ｐに定着される。そして、トナー画像が定着されたシート部材Ｐは、装置本体１０Ａの外部へ排出される。
【００３０】
（要部構成）
次に、無端ベルト２２の構成について説明する。
【００３１】
無端ベルト２２は、図２に示されるように、無端状のベルト本体５２と、ベルト本体５２の幅方向（本実施例では装置奥行方向）の両端に、夫々取り付けられている一対の補強テープ５６とを備えている。補強テープ５６は、補強部材の一例である。
【００３２】
ベルト本体５２は、ポリイミド樹脂によって形成され、一例として、ベルト本体５２の幅が３６０〔ｍｍ〕、厚さが１００〔μｍ〕とされている。
【００３３】
補強テープ５６は、ポリエチレンテレフタレート樹脂によって形成されている基材と、接着層とを有している。一例として、補強テープ５６の幅が５〔ｍｍ〕、厚さが８０〔μｍ〕とされている。
【００３４】
この補強テープ５６は、ベルト本体５２の外周面５２Ａに、ベルト本体５２の周方向（以下「ベルト周方向」）に１周以上巻かれて取り付けられている（貼り付けられている）。本実施例では、補強テープ５６は、ベルト本体５２の外周面５２Ａに２周巻かれて取り付けられている。また、補強テープ５６の終端側の部分６０（以下「終端部分６０」）は、図１（Ｂ）に示されるように、補強テープ５６の始端側の部分６２（以下「始端部分６２」）と、ベルト本体５２の厚さ方向（以下「ベルト厚さ方向」）で重なっている。
【００３５】
そして、終端部分６０の厚さは、終端部分６０の終端６０Ａに向かって徐々に減少している。ここで、補強テープ５６の一般部の厚さをＤとすると、厚さが減少している終端部分６０のベルト周方向の長さ（図中Ｌ１）は、１／２・Ｄ以上１００・Ｄ以下である。また、終端６０Ａにおける厚さＴ１（図１（Ｂ）参照）は、０以上１／３・Ｄ以下である。
【００３６】
さらに、終端部分６０は、終端６０Ａを含んで、終端部分６０がベルト厚さ方向で重なっている補強テープ５６の他の部分に溶着されている。
【００３７】
また、一例として、超音波溶着を用いることで、終端部分６０がこのような形状に形成される。具体的には、補強テープ５６をベルト本体５２に巻き終えた後、図１（Ａ）に示されるように、ベルト厚さ方向に対して傾斜する方向から、超音波ホーンＨ１を補強テープ５６の終端の角部に押し付ける。これにより、図１（Ｂ）に示されるように、終端部分６０が形成される。
【００３８】
（作用）
次に、無端ベルト２２の作用について、比較形態に係る無端ベルト２２２と比較しつつ説明する。先ず、無端ベルト２２２の構成について、無端ベルト２２と異なる部分を主に説明する。
【００３９】
−無端ベルト２２２−
無端ベルト２２２の終端側の部分２６０（以下「終端部分２６０」）の厚さは、図７に示されるように、終端部分２６０の終端２６０Ａまで同様とされている。そして、終端部分２６０の終端２６０Ａには、補強テープ５６の厚さと同様の高さの段差が生じている。さらに、終端部分２６０は、終端２６０Ａを含まないで、終端部分２６０が重なっている補強テープ２５６の他の部分に溶着されている。つまり、終端部分２６０が補強テープ２５６の他の部分に溶着されている溶着範囲Ａ１は、ベルト周方向で、終端２６０Ａと離間している。さらに、終端２６０Ａについて接着剤だけで接着されている。
【００４０】
-評価１-
次に、無端ベルト２２、及び無端ベルト２２２に対して、有限要素法を用いて行った解解析について説明する。
【００４１】
無端ベルト２２、２２２の外周面が凸となるように無端ベルト２２、２２２を円柱状のロール部材に巻き付けて湾曲させた状態で、無端ベルト２２、２２２に生じた曲げ応力を算出した。
【００４２】
図４（Ａ）には、無端ベルト２２の解析結果が示され、図４（Ｂ）には、無端ベルト２２２の解析結果が示されている。ドットが密である程、曲げ応力が高いことを示している。
【００４３】
図４（Ａ）（Ｂ）に示す解析結果から、無端ベルト２２における曲げ応力が高くなっている範囲は、無端ベルト２２２における曲げ応力が高くなっている範囲と比して、小さくなっていることが分かる。
【００４４】
また、図５には、無端ベルト２２、２２２に生じた最大応力がグラフで示されている。さらに、この最大応力については、図３に示す表に、無端ベルト２２２に生じた最大応力を「１０」とした場合の、無端ベルト２２に生じた最大応力が記載されている。なお、図３に示す表には、第２実施形態に係る無端ベルト１２２、及び第３実施形態に係る無端ベルト１７２に対する評価結果も記載されているが、これらの評価結果については、後述する。図３に示す表から分かるように、無端ベルト２２２に生じた最大応力を「１０」とした場合に、無端ベルト２２に生じた最大応力は、「８．８」であった。
【００４５】
図５に示すグラフ、及び図３に示す表から、無端ベルト２２に生じた最大応力は、無端ベルト２２２に生じた最大応力と比して、小さいことが分かる。
【００４６】
-評価２-
次に、無端ベルト２２、及び無端ベルト２２２を画像形成装置である富士ゼロックス社製ＤｏｃｕＣｅｎｔｒｅ−ＶＣ７７７５に夫々取り付けて耐久性を評価した。具体的には、無端ベルト２２、２２２を周回させて、定期的に無端ベルト２２、２２２の周回を停止させて、目視で無端ベルト２２、２２２の損傷を確認した。
【００４７】
図３には、無端ベルト２２、及び無端ベルト２２２に対する評価結果が表で示されている。具体的には、図３に示す表には、無端ベルト２２２が損傷した周回回数を「１」とした場合の、無端ベルト２２が同程度に損傷した周回回数が示されている。なお、図３に示す表には、第２実施形態に係る無端ベルト１２２、及び第３実施形態に係る無端ベルト１７２に対する評価結果も記載されているが、これらの評価結果については、後述する。
【００４８】
図３に示す表から分かるように、無端ベルト２２２が損傷した周回回数を「１」とした場合に、無端ベルト２２が損傷した周回回数は、「１．２」であった。つまり、無端ベルト２２の耐久性は、無端ベルト２２２の耐久性と比して、向上していることが分かる。なお、無端ベルト２２、２２２が損傷した箇所は、補強テープ５６の終端部分６０、２６０近傍であって、損傷の内容は、補強テープ５６の割れ又は剥がれであった。
【００４９】
（まとめ）
以上の解析結果、及び実機を用いた評価結果から分かるように、無端ベルト２２は、無端ベルト２２２と比して、無端ベルト２２の補強テープ５６の損傷が抑制される。換言すれば、終端部分６０の厚さを終端６０Ａに向かって減少させることで、減少させていない無端ベルト２２２と比して、無端ベルト２２の補強テープ５６の割れ、剥がれ等の損傷が抑制される。
【００５０】
また、無端ベルト２２の終端部分６０は、終端６０Ａを含んで、終端部分６０が重なっている補強テープ５６の他の部分に溶着されている。このため、無端ベルト２２２のように、終端部分２６０の溶着範囲Ａ１が終端２６０Ａと離間している場合と比して、終端部分６０の跳ね上がりが少なくなることで、補強テープ５６の損傷が抑制される。
【００５１】
また、転写装置４８においては、補強テープ５６の損傷が抑制され、無端ベルト２２に作用するストレスが抑制されるため、ベルト破損などの問題が抑制される。
【００５２】
＜第２実施形態＞
本発明の第２実施形態に係る無端ベルト、転写装置、及び画像形成装置の一例を図８（Ａ）（Ｂ）に従って説明する。なお、第１実施形態と同一部材等については、同一符号を付してその説明を省略し、第１実施形態と異なる部分を主に説明する。
【００５３】
図８（Ｂ）に示されるように、第２実施形態に係る無端ベルト１２２の補強テープ１３６の始端側の部分１４２（以下「始端部分１４２」）の始端１４２Ａと、終端側の部分１４０（以下「終端部分１４０」）の終端１４０Ａとは、ベルト周方向で対向している。ここで、「対向」とは、始端部分１４２と、終端部分１４０とが、ベルト厚さ方向で重なっていない状態で、かつ、始端１４２Ａと終端１４０Ａとが、ベルト周方向で離間している状態である。そして、この離間している距離Ｌ２は、１／２・Ｄ以下である。補強テープ１３６は、補強部材の一例である。
【００５４】
そして、終端部分１４０の厚さは、終端部分１４０の終端１４０Ａに向かって減少している。
【００５５】
また、一例として、超音波溶着を用いることで、終端部分１４０、及び始端部分１４２がこのような形状に形成される。具体的には、補強テープ１３６をベルト本体５２に巻き終えた後、図８（Ａ）に示されるように、ベルト周方向で始端部分１４２と終端部分６０とに跨るように超音波ホーンＨ２を配置し、この超音波ホーンＨ２をベルト厚さ方向から、補強テープ１３６に押し付ける。これにより、図８（Ｂ）に示される終端部分１４０、及び始端部分１４２が形成される。
【００５６】
次に、無端ベルト１２２に生じた最大応力、及び無端ベルト１７２の耐久性ついて説明する。
【００５７】
図３に示す表から分かるように、無端ベルト２２２に生じた最大応力を「１０」とした場合に、無端ベルト１２２に生じた最大応力は、「５．５」であった。また、無端ベルト２２２が損傷した周回回数を「１」とした場合に、無端ベルト１２２が損傷した周回回数は、「１０」であった。
【００５８】
以上の評価結果から、無端ベルト１２２では、比較形態に係る無端ベルト２２２と比して、無端ベルト１２２の補強テープ１３６の損傷が抑制される。
【００５９】
他の作用については、第１実施形態と同様である。
【００６０】
＜第３実施形態＞
本発明の第３実施形態に係る無端ベルト、転写装置、及び画像形成装置の一例を図９（Ａ）（Ｂ）に従って説明する。なお、第１実施形態と同一部材等については、同一符号を付してその説明を省略し、第１実施形態と異なる部分を主に説明する。
【００６１】
図９（Ｂ）に示されるように、第３実施形態に係る無端ベルト１７２の補強テープ１８６の終端側の部分１９０（以下「終端部分１９０」）は、補強テープ１８６の始端側の部分１９２（以下「始端部分１９２」）と、ベルト厚さ方向で重なっている。補強テープ１８６は、補強部材の一例である。
【００６２】
そして、終端部分１９０のベルト周方向の長さ（図中Ｌ３）は、第１実施形態に係る終端部分６０のベルト周方向の長さ（図１（Ｂ）のＬ１）と比して、長い。また、終端部分１９０の厚さは、終端部分１９０の終端１９０Ａに向かって減少している。
【００６３】
また、一例として、超音波溶着を用いることで、終端部分１９０がこのような形状に形成される。具体的には、超音波溶着を行う前の状態の補強テープ１８６の終端を、図９（Ａ）に示されるように、ベルト厚さ方向に対して傾斜するようにカットする。つまり、補強テープ１８６の終端の角を落とすように、補強テープ１８６の終端をカットする。
【００６４】
そして、ベルト厚さ方向に対して傾斜する方向から、超音波ホーンＨ３を補強テープ１８６の終端の角部に押し付ける。これにより、図９（Ｂ）に示されるように、終端部分１９０が形成される。
【００６５】
次に、無端ベルト１７２に生じた最大応力、及び無端ベルト１７２の耐久性について説明する。
【００６６】
図３に示す表から分かるように、無端ベルト２２２に生じた最大応力を「１０」とした場合に、無端ベルト１７２に生じた最大応力は、「７．７」であった。また、無端ベルト２２２が損傷した周回回数を「１」とした場合に、無端ベルト１７２が損傷した周回回数は、「３」であった。
【００６７】
以上の評価結果から、無端ベルト１７２では、比較形態に係る無端ベルト２２２と比して、無端ベルト１７２の補強テープ１８６の損傷が抑制される。
【００６８】
他の作用については、第１実施形態と同様である。
【００６９】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、補強テープ５６、１３６、１８６は、ベルト本体５２の幅方向の両端部に取り付けられたが、ベルト本体５２の幅方向の一端部だけに、補強テープ５６、１３６、１８６が取り付けられてもよい。
【００７０】
また、上記実施形態では、終端部分６０、１４０、１９０は、終端６０Ａ、１４０Ａ、１９０Ａを含んで、終端部分６０、１４０、１９０がベルト厚さ方向で重なっている補強テープ５６の他の部分に溶着されたが、溶着範囲が、終端６０Ａ、１４０Ａ、１９０Ａを含んでいなくてもよい。但し、この場合には、溶着範囲が、終端６０Ａ、１４０Ａ、１９０Ａを含むことで奏する作用は、奏しない。
【００７１】
また、上記実施形態では、補強テープ５６、１３６、１８６が、ベルト本体５２の外周面５２Ａに２周巻かれて取り付けられている構成を例に取って説明したが、第１実施形態、第３実施形態については、１周でもよく、３周以上であってもよい、また、第２実施形態については、３周以上であってもよい。
【符号の説明】
【００７２】
１０        画像形成装置
２０        画像形成部
２２        無端ベルト
４４        一次転写ロール（転写部材の一例）
４６        二次転写ロール（他の転写部材の一例）
４８        転写装置
５２        ベルト本体
５２Ａ      外周面
５６        補強テープ（補強部材の一例）
６０        終端部分
６０Ａ      終端
６２        始端部分
１２２      無端ベルト
１３６      補強テープ（補強部材の一例）
１４０      終端部分
１４０Ａ    終端
１４２      始端部分
１４２Ａ    始端
１７２      無端ベルト
１８６      補強テープ（補強部材の一例）
１９０      終端部分
１９０Ａ    終端
１９２      始端部分
【図１】
2018146726.tif 000003
【図２】
2018146726.tif 000004
【図３】
2018146726.tif 000005
【図４】
2018146726.tif 000006
【図５】
2018146726.tif 000007
【図６】
2018146726.tif 000008
【図７】
2018146726.tif 000009
【図８】
2018146726.tif 000010
【図９】
2018146726.tif 000011